(57)【特許請求の範囲】
【請求項１】
同一構造をなす他の椅子と前後方向にネスティングし得るように構成されている椅子であって、
板面が略水平な使用姿勢及び板面が略鉛直な格納姿勢をとることが可能なメモ台本体と、前記メモ台本体が使用姿勢をとる場合に該メモ台本体を前後移動可能かつ前記メモ台本体が格納姿勢をとる場合に該メモ台本体を前後移動不能に支持しているとともに、前記メモ台本体が格納姿勢をとり前方に位置する同一構造をなす他の椅子とネスティングさせた場合に該メモ台本体が前方に位置する同一構造をなす他の椅子のメモ台本体と干渉しない状態に保持するメモ台保持機構とを備えたメモ台を具備することを特徴とする椅子。
【請求項２】
前記メモ台保持機構が、前記メモ台本体が格納姿勢をとる際に該メモ台本体の前後位置が最も後方となるように該メモ台本体を保持するものである請求項１記載の椅子。
【請求項３】
前記メモ台保持機構が、前記メモ台本体を前後方向に延びる軸周りに回転させることにより前記使用姿勢と略鉛直な起立姿勢との間を移動可能であるとともに、起立姿勢において前記メモ台本体を左右方向に延びる軸周りに回転させることにより前記起立姿勢と前記格納姿勢との間を移動可能に支持するものであって、該メモ台本体が特定の前後位置をとる場合にのみ該メモ台本体を起立姿勢から格納姿勢に移動させることを可能に前記メモ台保持機構を構成している請求項１又は２記載の椅子。
【請求項４】
座板及び該座板を支持する座板支持フレームを有した椅子本体を具備するものであって、前記メモ台本体と前記椅子本体に固定したメモ台支持フレームとが互いにスライド移動可能であり、前記メモ台本体が前記使用姿勢から前記起立姿勢に至る領域、又は使用姿勢から前記起立姿勢を経て該起立姿勢と前記格納姿勢との間の所定の中間姿勢に至る領域にある場合にのみメモ台本体のスライドを許容するように前記メモ台保持機構を構成している請求項３記載の椅子。
【請求項５】
座板と該座板を支持する椅子本体とを具備するものであって、前記椅子本体が、左右一対の脚部と、対をなす脚部間を接続する横架材とを備え、先端において前記メモ台本体を支持するメモ台支持フレームの基端部を前記横架材に固定してなる請求項１、２、３又は４記載の椅子。
【請求項６】
前記メモ台保持機構が、メモ台本体側に配してなるスライダと、メモ台支持フレーム側に配してなりこのスライダの移動方向を案内するガイド部材とを係り合わせてなる案内部を有するものであって、この案内部の前方及び後方を開放させている請求項１、２、３、４又は５記載の椅子。
【発明の詳細な説明】
【技術分野】
【０００１】
本発明は、学校用または事務用等として好適に使用される椅子に関する。
【背景技術】
【０００２】
従来、この種の椅子として、板面が略水平な使用姿勢及び板面が略鉛直な格納姿勢をとることが可能なメモ台本体と、このメモ台本体を保持するメモ台保持機構とを有するものが知られている（例えば特許文献１参照）。
【０００３】
このようなものにおいて、同一構造を有する他の椅子の上方に順次積み上げて収納する際の便を図るべく、積み上げた状態で上下方向に隣接する同一構造を有する他の椅子のメモ台本体と干渉しないように収納姿勢にあるメモ台本体を保持するメモ台保持機構が採用されている。
【０００４】
一方、このような椅子の非使用時において少ない収納スペースにより多くの椅子を収納できるようにしつつ収納作業の便をはかるべく、同一構造をなす他の椅子と前後方向にネスティングし得るようにする要望が存在する。また、着座者の体格に応じてメモ台本体と座との間の前後位置を変更可能にできるようにする要望も存在する。しかし、メモ台を有するこのような椅子同士を前後方向にネスティングし得るようにしつつ着座者の体格に応じてメモ台本体と座との間の前後位置を変更可能にできるようにする構成は知られていない。
【先行技術文献】
【特許文献】
【０００５】
【特許文献１】特開２００２−３００９３３号公報
【発明の概要】
【発明が解決しようとする課題】
【０００６】
本発明は以上の点に着目し、メモ台を有するこのような椅子同士を前後方向にネスティングし得るようにしつつ着座者の体格に応じてメモ台本体と座との間の前後位置を変更可能にできるようにすることを目的とする。
【課題を解決するための手段】
【０００７】
すなわち本発明に係る椅子は、同一構造をなす他の椅子と前後方向にネスティングし得るように構成されている椅子であって、板面が略水平な使用姿勢及び板面が略鉛直な格納姿勢をとることが可能なメモ台本体と、前記メモ台本体が使用姿勢をとる場合に該メモ台本体を前後移動可能かつ前記メモ台本体が格納姿勢をとる場合に該メモ台本体を前後移動不能に支持しているとともに、前記メモ台本体が格納姿勢をとり前方に位置する同一構造をなす他の椅子とネスティングさせた場合に該メモ台本体が前方に位置する同一構造をなす他の椅子のメモ台本体と干渉しない状態に保持するメモ台保持機構とを備えたメモ台を具備することを特徴とする。
【０００８】
このようなものであれば、椅子の使用時においては着座者の体格に応じてメモ台本体の前後位置を変更することによりメモ台本体と座との間の前後位置を変更可能にしつつ、椅子の非使用時においては、メモ台本体を格納姿勢とし、その前方に同一構成を有する他の椅子を配しても、後方に位置する椅子のメモ台本体と前方に位置するメモ台本体とは干渉せず、このような椅子をネスティングさせて収納スペースに収納することが可能となる。
【０００９】
このような椅子をネスティングさせた状態で収納するに際して、限られた収納スペースにより多くの椅子を収納するために有効な構成として、前記メモ台保持機構が、前記メモ台本体が格納姿勢をとる際に該メモ台本体の前後位置が最も後方となるように該メモ台本体を保持するものが挙げられる。
【００１０】
このような椅子をネスティングさせた状態で収納するに際して、椅子間の距離を一体に保つようにするために有効な構成として、前記メモ台保持機構が、前記メモ台本体を前後方向に延びる軸周りに回転させることにより前記使用姿勢と略鉛直な起立姿勢との間を移動可能であるとともに、起立姿勢において前記メモ台本体を左右方向に延びる軸周りに回転させることにより前記起立姿勢と前記格納姿勢との間を移動可能に支持するものであって、該メモ台本体が特定の前後位置をとる場合にのみ該メモ台本体を起立姿勢から格納姿勢に移動させることを可能に前記メモ台保持機構を構成しているものが挙げられる。
【００１１】
特に、座板及び該座板を支持する座板支持フレームを有した椅子本体を具備するものであって、前記メモ台本体と前記椅子本体に固定したメモ台支持フレームとが互いにスライド移動可能であり、前記メモ台本体が前記使用姿勢から前記起立姿勢に至る領域、又は使用姿勢から前記起立姿勢を経て該起立姿勢と前記格納姿勢との間の所定の中間姿勢に至る領域にある場合にのみメモ台本体のスライドを許容するように前記メモ台保持機構を構成しているものであれば、簡単な構成でメモ台本体の椅子本体に対する前後方向位置を変更できる。
【００１２】
このような椅子のメモ台本体を安定して保持させることができるメモ台支持フレームの取付態様の一例として、座板及び該座板を支持する座板支持フレームを有した椅子本体を具備するものであって、前記座板支持フレームが、左右一対の脚部と、対をなす脚部間を接続する横架材とを備え、先端において前記メモ台本体を支持するメモ台支持フレームの基端部を前記横架材に固定してなるものが挙げられる。
【００１３】
前記メモ台保持機構が、メモ台本体側に配してなるスライダと、メモ台支持フレーム側に配してなりこのスライダの移動方向を案内する案内部材とを係り合わせてなる案内部を有するものにおいて、スライダと案内部との間で指を挟む不具合の発生を抑制するために有効な構成の一例として、この案内部の前方及び後方を開放させているものが挙げられる。
【発明の効果】
【００１４】
本発明によれば、メモ台を有するこのような椅子同士を前後方向にネスティングし得るようにしつつ着座者の体格に応じてメモ台本体と座との間の前後位置を変更可能にできる。
【図面の簡単な説明】
【００１５】
【図１】本発明の一実施形態に係る椅子を示す斜視図。
【図２】同実施形態に係る椅子を示す正面図。
【図３】同実施形態に係る椅子を示す側面図。
【図４】同実施形態に係る椅子を示す平面図。
【図５】同実施形態に係る椅子のメモ台を起立位置に配した状態を示す側面図。
【図６】同実施形態に係る椅子のメモ台を格納位置に配した状態を示す側面図。
【図７】同実施形態に係る椅子のメモ台支持機構を示す側面図。
【図８】同実施形態に係る椅子のメモ台支持機構を示す分解斜視図。
【図９】同実施形態に係る椅子のネスティング態様を示す図。
【図１０】同実施形態に係る椅子のメモ台支持機構の作動を示す動作説明図。
【図１１】同実施形態に係る椅子のメモ台支持機構の作動を示す動作説明図。
【図１２】同実施形態に係る椅子のメモ台支持機構の作動を示す動作説明図。
【図１３】同実施形態に係る椅子のメモ台支持機構の作動を示す動作説明図。
【発明を実施するための形態】
【００１６】
以下、本発明の一実施形態を、図１〜１３を参照して説明する。
【００１７】
この実施形態は、本発明を水平方向にネスティング可能な椅子１に適用したものである。すなわち、本実施形態に係る椅子１は、図９に具体的に示すように、収納時などに、座板３を跳ね上げ位置（Ｊ）に保持するとともにメモ台を格納姿勢（ＳＳ）に保持することによって同一構造をなす他の椅子１’と前後方向に近接させて少ないスペースで多くの椅子を収納し得るように構成されているものである。なお、図９では、他の椅子の符号を「１’」としているが、同一構造をなすものであるため、他の符号は椅子１のものと同様のものを付している。
【００１８】
椅子１は、図１〜図６に示すように、椅子本体２に座板３、背板４及びメモ台５を支持させてなるものであり、より詳しくは、座板３を支持する座板支持フレーム２６、及びメモ台５を支持するメモ台支持フレーム２８を有した椅子本体２を具備してなるものである。また、この椅子１は、前記座板支持フレーム２６の軸着部たる軸２６２を介して座板３を使用位置（Ｕ）と跳ね上げ位置（Ｊ）との間で回動させ得るようにしているとともに、前記メモ台支持フレーム２８がメモ台を板面が略水平な使用姿勢（ＵＵ）及び板面が略鉛直な格納姿勢（ＳＳ）との間で移動可能に支持しているものである。
【００１９】
以下、椅子１の各構成について詳述する。
【００２０】
椅子本体２は、金属パイプ材を主体に構成されたものである。椅子本体２は、図１〜図６に示すように、下端にキャスタ２１１を有した左右の前脚２１と、下端にキャスタ２２１を有した左右の後脚２２と、これら後脚２２の上端と前脚２１の上端とをそれぞれ繋ぐ左右の側フレーム２４と、これら左右の側フレーム２４の前端近傍部間に架設され両側フレーム２４同士を結合する前フレーム２５と、左右の側フレーム２４の後端近傍部間に架設され両側フレーム２４同士を結合する後フレーム２３と、この後フレーム２３に回転可能に支持させた座板支持フレーム２６と、前記後脚２２の上端から上方に延出する左右の背フレーム２７と、前記後フレーム２３にその基端部の複数箇所を溶接等により固定して取り付けたメモ台支持フレーム２８とを備えてなる。左右それぞれの前脚２１、後脚２２、側フレーム２４及び背フレーム２７は一体をなし、請求項中の脚部２Ａを形成する。そして、後フレーム２３が、請求項中の横架材としての機能を有する。
【００２１】
前脚２１と側フレーム２４とは、図１〜図３、図５及び図６に示すように、共通の金属パイプ材を曲げることにより一体に構成されたもので、側フレーム２４の後端は後脚２２の上端に溶接等により剛結されている。しかして、前脚２１、後脚２２、側フレーム２４、前フレーム２４、後フレーム２３、座板支持フレーム２６、及び背フレーム２７は、座板３及び背板４に作用する着座者の荷重を受けることが可能な強度を備えている。そして、椅子本体２を構成する座板支持フレーム２６に座板３を支持させており、例えば図９に示すように、座板３が床面に対して略平行になる使用位置（Ｕ）と座板３が背板４に対して略平行になる跳ね上げ位置（Ｊ）との間で回動し得るようになっている。また、図２、図４、及び図７に示すように、左右の前脚２１間の距離すなわち幅寸法は、左右の後脚２２間の距離よりも小さく設定されているため、後述するように、座板３を跳ね上げた状態で同一の構造をなす他の椅子１’とネスティング可能になっている。
【００２２】
前フレーム２５は、図１及び図２に示すように、左右の側フレーム２４の中央部分よりも前方の部分間に架設されてなる直線状の金属パイプ材を主体にしてなるもので、後述する座板支持フレーム２６の横架材２６３が使用位置（Ｕ）において前フレーム２５の上面に当接するようになっている。すなわち、座板３は、座板支持フレーム２６の横架材２６３が前フレーム２５に直接当接することにより、使用位置（Ｕ）に保持されるように構成されている。
【００２３】
後フレーム２３は、図１〜図３、図５及び図６に示すように、左右の側フレーム２４間に架設してなり、その中間部に取付ブラケット２３２を備えている。この取付ブラケット２３２の先端部には、座板支持フレーム２６の軸２６２を回転可能に支持するための軸受部２３２ａを備えており、左右の取付ブラケット２３２間に軸２６２を回転可能に架設している。この軸受部２３２ａは軸孔を主体に構成されたものである。換言すれば、本実施形態に係る椅子１は、後フレーム２３の取付ブラケット２３２に、座板支持フレーム２６の軸２６２を回転可能に支持させており、これによって座板支持フレーム２６に支持された座板３を使用位置（Ｕ）と跳ね上げ位置（Ｊ）との間で回転可能なものとしている。
【００２４】
次に、座板３を支持する座板支持フレーム２６について述べる。
【００２５】
座板支持フレーム２６は、枠状をなす支持フレーム本体２６１と、この支持フレーム本体２６１の後端部に設けられた軸２６２と、支持フレーム本体２６１の前後方向中間部に設けられた横架材２６３とを備えたものである。
【００２６】
支持フレーム本体２６１は、底面視において野球のホームベースの外縁形状に近似した枠体の形状をなしており、図２、図３、図５及び図６に示すように、その上面は、座板３に直接当接するようになっている。また、この支持フレーム本体２６１の内側面には座板３を取り付けるための図示しないブラケットが突設されている。そして、その後端部は、左右方向に略一直線状に延びる軸２６２の左右方向中間部分と連結している。
【００２７】
軸２６２は、金属パイプ材を主体に構成されたものである。軸２６２は、図３、図５及び図６に示すように、その左右両端部を後フレーム２３の取付ブラケット２３２に軸受部２３２ａを介して回動可能に支持されている。しかして、座板支持フレーム２６の支持フレーム本体２６１に支持された座板３は、座板支持フレーム２６の軸２６２を介して使用位置（Ｕ）と跳ね上げ位置（Ｊ）との間で回動し得るようになっている。
【００２８】
横架材２６３は、図２、図３、図５及び図６に示すように、使用位置（Ｕ）において前フレーム２５に支持されるように構成されている。横架材２６３は使用位置（Ｕ）において、正面視において中央部分を下方に突出させた形状をなしている。換言すれば、横架材２６３は、使用位置（Ｕ）において正面視下方に凸をなす隆起部分を備えたものである。詳述すると、横架材２６３は、金属パイプ材を主体に構成された隆起部ｒを有した横架材本体２６３ａと、この横架材本体２６３ａの左右方向中間部位に取り付けられた当接部材２６３ｂを備えたものである。横架材本体２６３ａは、正面視において左右方向中間部分が下方に膨出した形状をなしており、この横架材本体２６３ａの膨出部分に樹脂製の当接部材２６３ｂが止着具たるねじにより取り付けられている。当接部材２６３ｂは、使用位置（Ｕ）において前フレーム２５に当接するものであり、当接面が形成される下面は、前フレーム２５の形状に対応した形状、すなわち前フレーム２５のパイプフレーム形状に対応させて凹んだ形状となっている。
【００２９】
次いで、メモ台５を支持する座板支持フレーム２８について述べる。
【００３０】
このメモ台支持フレーム２８は、図１〜図６に示すように、前記後フレーム２３の右側部に沿う形状を有し、該後フレーム２３にその複数箇所を溶接等により固定して取り付けてなり、該後フレーム２３の右側端縁を越えてさらに右側に延びる基部２８１と、この基部２８１の右端すなわち延出端から前上方に向けて延びる接続部２８２と、この接続部２８２の上端すなわち延出端から前方に向けて延びメモ台を回動可能に支持するメモ台支持部２８３とを備えている。前記接続部２８２及びメモ台支持部２８３は、平面視した場合において前方に向かうにつれこの椅子の幅方向中央に向かう傾斜を有する。換言すれば、前方に向かうにつれ座板３に向かう傾斜を有する。また、前記メモ台支持部２８３は、前方に向かうにつれわずかに上方に向かう傾斜を有する。
【００３１】
次に、座板３について詳述する。
【００３２】
座板３は、図１〜図６に示すように、板状をなす座板本体３１と、この座板本体３１の裏面すなわち下面に設けられ座板支持フレーム２６と係合させるための部位である図示しない支持フレーム係合部と、座板本体３１の上面に設けられたクッション部３３とを備えてなるものである。座板本体３１及び前記支持フレーム係合部は、樹脂により一体に成形されている。
【００３３】
座板本体３１は、図１〜図３、図５及び図６に示すように、その前端部分が下方に垂れ下がった形状をなしているとともに、後端部分が上方に反り上がった形状をなしている。この座板本体３１における軸２６２の端部周辺、すなわち、後フレーム２３の取付ブラケット２３２の外側近傍には、図示しない立壁部が設けられ、軸２６２の近傍に手指等が接近することを回避している。
【００３４】
座板３の周縁部、すなわち座板本体３１の周縁部は、図２、図３、図５及び図６に示すように、椅子本体２の座板支持フレーム２６及びメモ台支持フレーム２８以外の構成要素からなる部位と離間するように構成されている。より具体的には、本実施形態に係る椅子１は、使用位置（Ｕ）において、座板本体３１の周縁部の全域と、椅子本体２の座板支持フレーム２６及びメモ台支持フレーム２８以外の構成要素からなる部位とが、一定間隔をあけて離間するように構成されており、使用者等の手指や被服が座板３の下面側において挟まれにくいようにしている。前後方向に延びる側フレーム２４と座板３の側縁部との間、並びに、側フレーム２４と支持フレーム本体２６１との間は上下方向に離間するように構成されている。
【００３５】
背板４は、図１〜図６に示すように、背板本体４１と、この背板本体４１の左右両側部に一体に設けられた取付部４２とを備えたもので、取付部４２は、背板本体４１の下縁よりも下方に延出させてある。そして、取付部４２に形成された下方に開口する取付孔４２１を背フレーム２７に嵌め合わせることによって、背板４を椅子本体２に支持させている。背フレーム２７は、その上端が背板本体４１の中央部における下縁４１１とほぼ同一高さ位置に達するまで取付孔４２１に挿入され固定されている。また、背板本体４１は、図５に示すように平面視において中央部が後方に膨出するように湾曲した形状をなしている。
【００３６】
メモ台５は、図１〜図６に示すように、板状をなすメモ台本体５１と、このメモ台本体５１と前記メモ台支持フレーム２８との間に介在してこのメモ台本体５１を支持するメモ台保持機構５２とを備えている。
【００３７】
メモ台本体５１は、図１及び図４に示すように、使用姿勢（ＵＵ）において着座者に近い側の縁部の右側部が着座者側に膨出した概略矩形板状をなし、使用姿勢（ＵＵ）において上方を向く面を物品を載置するための載置面５１ａとしている。また、このメモ台本体５１は、その右端部を前記メモ台保持機構５２により、図１〜図４に示す使用姿勢（ＵＵ）から図５に示す起立姿勢（ＴＴ）を経て図６に示す格納姿勢（ＳＳ）まで、又はその逆方向に回転可能かつ片持ち的に支持されている。
【００３８】
メモ台保持機構５２は、図３及び図５〜図８に示すように、メモ台本体５１の載置面５１ａと反対側の面に相対位置を変更不能に取り付けられメモ台支持フレーム２８に対して前後移動可能なスライダ部材５２１と、このスライダ部材５２１のメモ台本体５１に向かう面と反対側の面に相対位置を変更不能に取り付けられ設けられ後述する回転案内規制突起５２３ｙに係合することによりメモ台本体５１の左右方向に延びる軸周りの回転移動の方向を案内する回転案内溝５２２ａを有する回転案内部材５２２と、前記スライダ部材５２１の上下両端縁に設けたガイド溝５２１ｘと係合するガイド突起５２３ｘを有し前記スライダ部材５２１を設けたメモ台本体５１を前後スライド可能に保持するガイド部材５２３と、このガイド部材５２３とメモ台支持フレーム２８のメモ台支持部２８３との間に介在し前記ガイド部材５２３との間で前記メモ台支持部２８３を挟持するとともにこのメモ台支持部２８３の中心軸を回転中心としてその周りに前記メモ台本体５１及びガイド部材５２１を前後方向に延びる軸周りに回転可能に保持する保持部材５２４と、この保持部材５２４及び前記メモ台支持部２８３を被覆するカバー部材５２５とを備えている。そして、このメモ台保持機構５２は、前記メモ台本体５１を、前後方向に延びる軸周りに回転させることにより前記使用姿勢（ＵＵ）と略鉛直な起立姿勢（ＴＴ）との間を移動可能であるとともに、前記起立姿勢（ＴＴ）において前記メモ台本体５１を左右方向に延びる軸周りに回転させることにより前記起立姿勢（ＴＴ）と前記格納姿勢（ＳＳ）との間を移動可能に支持する。
【００３９】
前記スライダ部材５２１は、図７及び図８に示すように、メモ台本体５１の載置面５１ａと反対側の面に沿う板状のプレート部５２１ａと、このプレート部５２１ａの互いに対向する１対の端縁にそれぞれ取り付けられその内部に前後方向に延びるガイド溝５２１ｘを有するレール部５２１ｂとを備えている。このガイド溝５２１ｘがガイド部材５２３のガイド突起５２３ｘとを係合することによりこのスライダ部材５２１の椅子本体２に対するスライド移動の方向、換言すればガイド部材５２３に対するスライド移動の方向が規制され、ガイド部材５２３に対してガイド溝５２１ｘが延びる方向にのみ移動可能となっている。そして、このスライダ部材５２１のプレート部５２１ａに、前記回転案内部材５２２を相対移動不能に取り付けている。
【００４０】
前記回転案内部材５２２は、図７及び図８に示すように、上述したように回転案内規制突起５２３ｙを収納可能な回転案内溝５２２ａを有するとともに、その一端縁、より具体的にはメモ台本体５１を起立姿勢（ＴＴ）とした状態における下端縁を、回転案内規制突起５２３ｙと衝き当たることによりメモ台本体５１の左右方向に延びる軸周りの回転を規制する規制部５２２ｂとしている板状の部材である。さらに詳述すると、メモ台本体５１が起立姿勢（ＴＴ）にありかつスライド範囲の前端に位置する場合には、図１１に示すように、一方の回転案内規制突起５２３ｙの上方にこの回転案内部材５２２の回転案内溝５２２ａが位置するので、メモ台本体５１に左右方向に延びる軸周りの回転操作力が加えられた場合には回転が許可される。一方、メモ台本体５１が起立姿勢（ＴＴ）にありかつスライド範囲の前端以外に位置する場合には、図１０に示すように、対をなす回転案内規制突起５２３ｙそれぞれの上方にこの回転案内部材５２２の規制部５２２ｂが位置するので、メモ台本体５１に左右方向に延びる軸周りの回転操作力が加えられた場合であってもメモ台本体５１の回転が規制される。ここで、メモ台本体５１が起立姿勢（ＴＴ）にありかつスライド範囲の前端に位置する状態から約１８０度回転移動させると、換言すれば図１２に示すようなメモ台本体５１を起立姿勢から９０度回転させ所定の中間姿勢（ＣＣ）にある状態とした後、さらに９０度回転させて格納姿勢（ＳＳ）とすると、該メモ台本体５１の前後位置が最も後方となる。また、メモ台本体５１が前記中間姿勢（ＣＣ）と格納姿勢（ＳＳ）との間に位置する状態では、図１３に示すように、回転案内規制突起５２３ｙと回転案内溝５２２ａとが係り合ってメモ台本体５１のスライド移動が規制される。換言すれば、この回転案内部材５２２を含むメモ台保持機構５２は、メモ台本体５１が前記使用姿勢（ＵＵ）から前記起立姿勢（ＴＴ）を経て前記中間姿勢（ＣＣ）に至る領域にある場合にのみメモ台本体５１の前後移動が許容されるようにメモ台本体５１を保持している。そして、この回転案内部材５２２を挟んでスライダ部材５２１と反対側に、ガイド部材５２３が配されている。
【００４１】
ガイド部材５２３は、図３、図４及び図５の実線に示す位置（可動範囲の前端）と想像線に示す位置（可動範囲の後端）との間でメモ台本体５１を前後スライド可能に保持するもので、図７及び図８に示すように、上下両端部に前記スライダ部材５２１のガイド溝５２１ｘと係合するガイド突起５２３ｘを有する板状のガイド部材本体５２３ａと、対をなしてこのガイド部材本体５２３ａを挟持する補強板５２３ｂとを備えている。具体的には、内側の補強板５２３ｂに設けた図示しない雌ねじ孔に外側の補強板５２３ｂの外方から雄ねじ部材ｂを螺着してなる構造を有する。本実施形態では、雄ねじ部材ｂを、前記補強板５２３ｂの中心を挟んで上下に２本ずつ取り付けるようにしている。ここで、この雄ねじ部材ｂのうち下方に位置するものの頭部を、前記回転案内部材の規制部に当接する回転案内規制突起５２３ｙとして機能させている。また、この回転案内規制突起５２３ｙのうち１つは、上述したようにメモ台本体５１がスライド範囲の前端に位置する場合に回転案内部材５２２の回転案内溝５２２ｘに係合し、メモ台本体５１の回転運動の方向を案内する。ここで、このガイド部材５２３と前記スライダ部材５２１とが係合した状態で、このガイド部材５２３の前後両側の空間はそれぞれ前方及び後方に開放されている。そして、このガイド部材５２３には、ねじ等の固定手段により保持部材５２４が取り付けられていて、この保持部材５２４を介してメモ台支持フレーム２８に支持されている。
【００４２】
保持部材５２４は、図８に示すように、両端が開放されたループ状をなしその内部にメモ台支持フレーム２８のメモ台支持部２８３を収納する保持部５２４ａと、この保持部５２４ａの両端から相反する方向にそれぞれ延伸しねじ等の固定手段によりガイド部材５２３に固定して取り付けるための取付部５２４ｂとを有する。この保持部材５２４、前記ガイド部材５２３、前記回転案内部材５２２、前記スライダ部材５２１、及びメモ台本体５１は、前後方向に延びる前記メモ台支持部２８３の中心軸を中心として起立姿勢（ＴＴ）となるまで回転移動可能である。
【００４３】
そして、同一構造を有する本実施形態の椅子同士を前後方向に重ね合わせた際のメモ台同士の位置関係について図９を参照しつつ以下に説明する。特定の椅子１の前方に位置する他の椅子１’の左右の後脚２２は、前記特定の椅子１の前脚２１よりも後方に位置し、該特定の椅子１の後脚２２の前方に位置する。また、特定の椅子１のメモ台本体５１の前端５１ｘは、背板４の右端４ｘよりも右側、換言すればこの椅子のメモ台及びメモ台支持フレームを除いた部分の幅方向端縁よりも外方に位置する。すなわち、メモ台本体を格納姿勢（ＳＳ）とした状態の特定の椅子の前方に、メモ台本体を格納姿勢（ＳＳ）とした状態の他の椅子を配した際に、他の椅子の背板は前記特定の椅子のメモ台と干渉することなくメモ台を越えて後方に位置する。さらに、他の椅子のメモ台支持フレームの基端部も前記特定の椅子のメモ台本体の前端を越えて後方に位置する。
【００４４】
以上に述べたように、本実施形態に係る椅子１の構成によれば、椅子１の使用時においては、着座者の体格に応じてメモ台本体５１の前後位置を変更することによりメモ台本体５１と座板３との間の前後位置を変更可能にしつつ、椅子１の非使用時においては、メモ台本体５１を格納姿勢（ＳＳ）とし、その前方に同一構成を有する他の椅子１’を配しても、後方に位置する椅子１のメモ台本体５１と前方に位置する椅子１’のメモ台本体５１とは干渉せず、このような椅子１をネスティングさせて収納スペースに効率よく収納することが可能となるとともに、メモ台本体５１の前後位置が変更不可能であるのでネスティングさせた際の椅子１間の距離を一定に保つことができる。
【００４５】
また、前記メモ台保持機構５２が、前記メモ台本体５１が格納姿勢（ＳＳ）をとる際に該メモ台本体５１の前後方向位置が最も後方となるので、このような椅子１をネスティングさせた状態で収納するに際して、限られた収納スペースにより多くの椅子１を収納することができる。
【００４６】
さらに、前記メモ台保持機構５２が、前記メモ台本体５１を前後方向に延びる軸周りに回転させることにより前記使用姿勢（ＵＵ）と前記起立姿勢（ＴＴ）との間を移動可能であるとともに、起立姿勢（ＴＴ）において前記メモ台本体５１を左右方向に延びる軸周りに回転させることにより前記起立姿勢（ＴＴ）と前記格納姿勢（ＳＳ）との間を移動可能に支持し、該メモ台本体５１がスライド可能範囲の前端に位置する場合にのみ該メモ台本体５１を格納姿勢（ＳＳ）に移動させることが可能に前記メモ台保持機構５２を構成しているので、このような椅子１をネスティングさせた状態で収納するに際して、椅子１間の距離を一体に保つようにすることができる。
【００４７】
さらに、前記メモ台本体５１が、前記使用姿勢（ＵＵ）から板面が略鉛直な起立姿勢（ＴＴ）を経て前記格納姿勢（ＳＳ）へ移動可能であるものであって、前記メモ台本体５１が使用姿勢（ＵＵ）と起立姿勢（ＴＴ）との間の姿勢をとり、
加えて、座板３及び該座板３を支持する座板支持フレーム２を有するものであって、前記メモ台本体５１と前記メモ台支持フレーム２８とが互いにスライド移動可能であり、前記メモ台本体５１が前記使用姿勢（ＵＵ）から前記起立姿勢（ＴＴ）の間、又は前記起立姿勢（ＴＴ）と前記中間姿勢（ＣＣ）との間の領域にある場合にのみメモ台本体５１のスライドを許容するように前記メモ台保持機構５２を構成しているので、簡単な構成でメモ台本体５１の椅子本体２に対する前後方向位置を変更できる。
【００４８】
その上、前記椅子本体２が、左右一対の脚部２Ａと、対をなす脚部２Ａ間を接続する後フレーム２３とを備え、先端において前記メモ台本体５１を支持するメモ台支持フレーム２８の基端部２８１を前記後フレーム２３に固定してなるので、このような椅子１のメモ台本体５１を安定してメモ台支持フレーム２８に保持させることができる。
【００４９】
そして、前記メモ台保持機構５２が、メモ台本体５１側に配してなるスライダ５２１と、メモ台支持フレーム２８側に配してなりこのスライダ５２１の移動方向を案内する案内部材たるガイド部材５２３とを係り合わせてなる案内部を有するものにおいて、このスライダ５２１の前方及び後方を開放させているので、スライダ５２１とガイド部材５２３との間で指を挟む不具合の発生を有効に抑制することができる。
【００５０】
なお、本発明は以上に述べた実施形態に限らない。
【００５１】
例えば、上述した実施形態では、前記メモ台本体が格納姿勢をとる際に該メモ台本体の前後位置が最も後方となるように該メモ台本体を保持するようにメモ台保持機構を構成しているが、メモ台本体をそれ以外の位置に保持するようにメモ台保持機構を構成してもよい。
【００５２】
また、上述した実施形態では、前記メモ台本体が使用姿勢又は起立姿勢をとる際に該メモ台本体が可動範囲の前端に位置する場合にのみ該メモ台本体を格納姿勢に移動させることが可能に前記メモ台保持機構を構成しているが、メモ台本体の前後方向位置に関わらず該メモ台本体を格納姿勢に移動させることが可能なメモ台保持機構を採用してもよい。この場合、メモ台本体を格納姿勢とした後メモ台本体を後方に移動させ、可動範囲の後端にメモ台本体が達した場合にメモ台本体をこの位置に保持するための機構を別途設けるとよい。
【００５３】
一方、上述した実施形態では、メモ台本体が使用姿勢から前記起立姿勢を経て該起立姿勢と前記格納姿勢との間の所定の中間姿勢に至る領域にある場合にのみメモ台本体のスライドが許容されるようにメモ台保持機構を構成しているが、メモ台本体が起立姿勢と中間姿勢との間の領域にある場合にはメモ台本体のスライドを許容しないようにメモ台保持機構を構成してももちろんよい。さらに、上述した実施形態では起立姿勢からメモ台本体を９０度回転させた状態を中間姿勢としているが、メモ台本体を起立姿勢から格納姿勢に向けて０度以上９０度未満の範囲の所定の角度回転させた状態を中間姿勢としてももちろんよい。
【００５４】
さらに、上述した実施形態では、前記メモ台本体と前記椅子本体に固定したメモ台支持フレームとを互いにスライド移動可能に構成しているが、メモ台本体とメモ台支持フレームとの間に介在させてなりメモ台本体を前後方向移動可能に支持するリンク機構等を利用してメモ台保持機構を形成してもよい。
【００５５】
加えて、メモ台支持フレームの取付態様は、上述した実施形態のような椅子本体の構成要素である横架材に基端部を溶接等により固定する態様に限らず、例えば、肘掛けと、先端において肘掛けを支持する肘掛け支持フレームとを有する椅子であれば、この肘掛け支持フレームに溶接やねじ止めなどの方法により固定する態様が考えられる。
【００５６】
そして、上述した実施形態では、メモ台本体側に配してなるスライダと、メモ台支持フレーム側に配してなりこのスライダの移動方向を案内するガイド部材とを係り合わせてなる案内部を有し、この案内部の前方及び後方を開放させている態様を採用しているが、これに限らず、スライダ及びガイド部材を被覆するスライダカバー部材を設ける等、他の手段によりメモ台本体のスライド移動の際に指を挟む不具合の発生を抑制するようにしてもよい。
【００５７】
その他、本発明の趣旨を損ねない範囲で種々に変更してよい。
【符号の説明】
【００５８】
１、１’…椅子
５…メモ台
５１…メモ台本体
５２…メモ台保持機構
ＵＵ…使用姿勢
ＳＳ…格納姿勢
【図１】
0005830701.tif 000002
【図２】
0005830701.tif 000003
【図３】
0005830701.tif 000004
【図４】
0005830701.tif 000005
【図５】
0005830701.tif 000006
【図６】
0005830701.tif 000007
【図７】
0005830701.tif 000008
【図８】
0005830701.tif 000009
【図９】
0005830701.tif 000010
【図１０】
0005830701.tif 000011
【図１１】
0005830701.tif 000012
【図１２】
0005830701.tif 000013
【図１３】
0005830701.tif 000014